(57)【要約】【課題】収納した内容物を他の容器等に移し替える作業を簡易に行い、その取扱いをきわめて便利にする。【解決手段】内容物Ｗを収納するための収納空間部３がその周囲を封止部５によって封鎖することによって形成された袋本体部２を主体とする包装用袋１であって、この袋本体部２には前記収納空間部３の周辺部において、この収納空間部３に一部が連通されかつその連通部位を残して周囲が封止された注ぎ口部４を該収納空間部３とは独立し該連通部位に対して所定の角度曲折して形成し、この注ぎ口部４は袋本体部２に対し、収納空間部３との前記連通部を残して切取り可能に構成されているものである。【選択図】  図１
2004262497.tif 000002
【特許請求の範囲】
【請求項１】
内容物を収納するための収納空間部がその周囲を封止部によって封鎖することによって形成された袋本体部を主体とする包装用袋であって、この袋本体部には前記収納空間部の周辺部において、この収納空間部に一部が連通されかつその連通部位を残して周囲が封止された注ぎ口部を該収納空間部とは独立し該連通部位に対して所定の角度曲折して形成し、この注ぎ口部は袋本体部に対し、収納空間部との前記連通部を残して切取り可能に構成されていることを特徴とする包装用袋。
【請求項２】
請求項１に記載の包装用袋であって、袋本体部の一部には袋本体部から切取った注ぎ口部の一部が係入される係入溝部を形成し、この係入溝部に対し注ぎ口部の一部を折畳み状に係止可能となしたことを特徴とする包装用袋。
【請求項３】
請求項１に記載の包装用袋であって、袋本体部を合成樹脂製から構成したことを特徴とする包装用袋。
【発明の詳細な説明】
【０００１】
【発明が属する技術分野】
本発明は、とくに、液体等の流動物を収納する包装用袋に関するものである。
【０００２】
【従来の技術】
従来、この種の包装用袋にあっては、底部がフィルムを内側に折り返してガゼット形式にヒートシールして、胴部が前後２面の壁面フィルムの両側端縁部をヒートシールして形成され、上部が開口する形式のスタンディングパウチにおいて、そのパウチ上部開口部の一部に周囲がヒートシールにより封止され内側がパウチ内部に連通する細くて長い首状の注出口が上方に延設された構成のものが案出されている。（例えば、特許文献１参照。）
【０００３】
【特許文献１】
特開平１０−２１８２０４号（［００２９］、図２）
【０００４】
【発明が解決しようとする課題】
しかしながら、上記した従来の包装用袋においては、パウチ上部開口部に注出口がそのパウチ内部との連通部位からそのまま直線的に形成されているため、パウチ内部の内容物を他の容器等に移し替えるに際し、その注出口を他の容器等の口に挿通する場合、パウチ自体を傾けて行わなければならず、そのときに内容物がその周囲にこぼれて出てしまう問題点があり、その取扱いに不便さを生起するもので、とくに、内容物が液体等の流動物にあっては、その問題点が顕著に現れるものであった。
そこで、本発明は、上記した問題点に鑑み、収納した内容物を他の容器等に移し替える作業を簡易に行うことができ、その取扱いをきわめて便利にすることができる包装用袋を提供することを目的とする。
【０００５】
【課題を解決するための手段】
上記した課題を達成するために、本発明の請求項１の発明は、内容物を収納するための収納空間部がその周囲を封止部によって封鎖することによって形成された袋本体部を主体とする包装用袋であって、この袋本体部には前記収納空間部の周辺部において、この収納空間部に一部が連通されかつその連通部位を残して周囲が封止された注ぎ口部を該収納空間部とは独立し該連通部位に対して所定の角度曲折して形成し、この注ぎ口部は袋本体部に対し、収納空間部との前記連通部を残して切取り可能に構成されていることを要旨とするものである。
【０００６】
この構成によれば、袋本体部の収納空間部に収納した内容物を他の容器等に移し替えるに際し、袋本体部を立てた方向のままの状態で、収納空間部とは独立しかつ該収納空間部との連通部位に対して所定の角度曲折して形成した注ぎ口部を、他の容器等の口等に挿通することができ、この状態で袋本体部を傾けて内容物を他の容器等に移し替えることができる。
【０００７】
また、本発明の請求項２の発明は、請求項１に記載の包装用袋であって、袋本体部の一部には袋本体部から切取った注ぎ口部の一部が係入される係入溝部を形成し、この係入溝部に対し注ぎ口部の一部を折畳み状に係止可能となしたことを要旨とするものである。
【０００８】
この構成によれば、一度開封した注ぎ口部の一部を折畳み状にして係入溝部に係止するものであるから、その係止状態によって、袋本体部の収納空間部内にある例えば、残余の内容物が注ぎ口部から流出することを未然に阻止することができ、袋本体部の残余の内容物の保管を容易にすることができるものである。
【０００９】
さらに、請求項１に記載の包装用袋であって、袋本体部を合成樹脂製から構成したことを要旨とするものである。
【００１０】
この構成によれば、袋本体部における収納空間部及び注ぎ口部等の形成を容易になし得るものである。
【００１１】
【発明の実施の形態】
以下、本発明の実施の形態について図にしたがって説明する。
まず、図１〜３に示す第１の実施の形態について説明すると、図１に示すように包装用袋１は、例えば、合成樹脂からなる袋本体部２として全体がほぼ長方形の袋状に形成されている。この袋本体部２は、例えば、液体等の流動性のある内容物Ｗを収納するための該袋本体部２のほぼ外郭形状に沿って形成された収納空間部３と、その収納空間部３の上部側に位置された注ぎ口部４とを主体として構成されている。
【００１２】
前記収納空間部３はその周囲がヒートシール等の封止部５によって密封状態とされるとともに、上部側の封止部５の一部（図では隅角部の近傍）が注ぎ口部４との連通のために開口６状態とされている。
【００１３】
前記注ぎ口部４は、その一端（図では下端）が前記収納空間部３に対し開口６を介して連通されるとともに、その連通部位（開口６部位）を残して周囲がヒートシール等の封止部７によって密封状態に形成されている。これによって、注ぎ口部４は袋本体部２に対して収納空間部３とは独立した状態で該連通部位（開口６部位）に対して所定の角度曲折した斜状に形成されている。
【００１４】
前記袋本体部２における注ぎ口部４の封止部７及び収納空間部３の開口６を除く封止部５の近傍には、該注ぎ口部４を袋本体部２に対し収納空間部３の連通部位（開口６部位）を残して切取り可能とすべく所定の間隔で形成された多数のスリットからなる切取り線８或いははさみ等により切取ることができる切取り線８が形成されている。
【００１５】
また、前記袋本体部２には、前記注ぎ口部４の上方部に該袋本体部２から切取った注ぎ口部４の一部を係入する係入溝部９が形成され、この係入溝部９は注ぎ口部４の一部を折畳み状で係止可能である。
【００１６】
上述のように構成された第１の実施の形態において、収納空間部３内に液体等の内容物Ｗが収納された状態おける包装用袋１にあっては、まず、切取り線８に沿かつ該切取り線８を利用して袋本体部２に対し注ぎ口部４を収納空間部３とは独立した状態に切取る。
【００１７】
そして、図２の（イ）に示すように、袋本体部２を立てた方向のままの状態として、その注ぎ口部４を移し替えるべき他の容器の口内に挿入する。この状態にあっては、袋本体部２を傾けないので、袋本体部２の収納空間部３内の内容物Ｗが該他の容器の周囲に落ちこぼれることがない。
【００１８】
そこで、図２の（ロ）に示すように、袋本体部２を注ぎ口部４側に傾けて収納空間部３内の内容物Ｗを注ぎ口部４との開口６（連通部位）を経て該注ぎ口部４から該他の容器内に注入するものであり、この場合も前述と同様に、袋本体部２の収納空間部３内の内容物Ｗが該他の容器の周囲に落ちこぼれることがない。
【００１９】
そして、収納空間部３内の内容物Ｗをすべて移し替えることができず余り、該残余の内容物とともに袋本体部２を保管する場合には、図３に示すように、注ぎ口部４のほぼ先端部を折畳み（少なくとも二重に折畳むことが望ましい。）、その折畳み部位を係入溝部９に係入して係止することによって、該注ぎ口部４の一部を閉塞状態とすることができるので、袋本体部２の収納空間部３内にある残余の内容物Ｗが注ぎ口部４から流出することを未然に阻止することができ、袋本体部２内の残余の内容物Ｗの保管を容易にすることができるものである。
【００２０】
次に、図４〜６に示す第２の実施の形態にあっては、注ぎ口部４の形態を変更した場合であって、前述の第１の実施の形態と同様な部材構成についてはその符号の後にＡを付してその説明を省略する。
第２の実施の形態における包装用袋１Ａは、図４に示すように、例えば、合成樹脂からなる袋本体部２Ａとして全体がほぼ長方形の袋状に形成されている。この袋本体部２Ａは、例えば、液体等の流動性のある内容物ＷＡを収納するための該袋本体部２Ａのほぼ外郭形状に沿って形成された収納空間部３Ａと、その収納空間部３Ａの一方の側部に位置された注ぎ口部４Ａとを主体として構成されている。
【００２１】
前記収納空間部３Ａはその周囲がヒートシール等の封止部５Ａによって密封状態とされるとともに、一方の側部の封止部５Ａの上部が注ぎ口部４Ａとの連通のために開口６Ａ状態とされている。
【００２２】
前記注ぎ口部４Ａは、その上端が前記収納空間部３Ａに対し開口６Ａを介して連通されるとともに、その連通部位（開口６Ａ部位）を残して周囲がヒートシール等の封止部７Ａによって密封状態に形成されている。これによって、注ぎ口部４Ａは袋本体部２Ａに対して収納空間部３Ａとは独立した状態で該連通部位（開口６Ａ部位）に対して所定の角度曲折（この場合はほぼ９０度）した直線状に形成されている。
【００２３】
前記袋本体部２Ａにおける注ぎ口部４Ａの封止部７Ａ及び収納空間部３Ａの開口６Ａを除く封止部５Ａの近傍には、該注ぎ口部４Ａを袋本体部２Ａに対し収納空間部３Ａの連通部位（開口６Ａ部位）を残して切取り可能とすべく所定の間隔で形成された多数のスリットからなる切取り線８Ａ或いははさみ等により切取ることができる切取り線８Ａが形成されている。
【００２４】
また、前記袋本体部２Ａには、前記注ぎ口部４Ａの上方の一方隅角部に該袋本体部２Ａから切取った注ぎ口部４Ａの一部を係入する係入溝部９Ａが形成され、この係入溝部９Ａは注ぎ口部４Ａの一部を折畳み状で係止可能である。
【００２５】
上述のように構成された第２の実施の形態において、第２の実施の形態と同様にして、切取り線８Ａを利用して袋本体部２Ａに対し注ぎ口部４Ａを収納空間部３Ａとは独立した状態に切取り、図５の（イ）に示すように、袋本体部２Ａを立てた方向のままの状態として、その注ぎ口部４Ａを移し替えるべき他の容器の口内に挿入する。この場合も前述の実施の形態と同様に、袋本体部２Ａを傾けないので、袋本体部２Ａの収納空間部３Ａ内の内容物ＷＡが該他の容器の周囲に落ちこぼれることがない。
【００２６】
そこで、前述の実施の形態と同様に、図５の（ロ）に示すように、袋本体部２Ａを注ぎ口部４Ａ側に傾けて収納空間部３Ａ内の内容物ＷＡを注ぎ口部４Ａとの開口６Ａ（連通部位）を経て該注ぎ口部４Ａから該他の容器内に注入するものであり、この場合も前述の実施の形態と同様に、袋本体部２Ａの収納空間部３Ａ内の内容物Ｗが該他の容器の周囲に落ちこぼれることがない。
【００２７】
そして、収納空間部３Ａ内の内容物ＷＡをすべて移し替えることができず余り、該残余の内容物とともに袋本体部２を保管する場合には、図６に示すように、前述の実施の形態と同様に、注ぎ口部４Ａのほぼ先端部を折畳み（少なくとも二重に折畳むことが望ましい。）、その折畳み部位を係入溝部９Ａに係入して係止することによって、該注ぎ口部４Ａの一部を閉塞状態とすることができるので、袋本体部２Ａの収納空間部３Ａ内にある残余の内容物ＷＡが注ぎ口部４Ａから流出することを未然に阻止することができ、袋本体部２Ａ内の残余の内容物ＷＡの保管を容易にすることができるものである。
【００２８】
この第２の実施の形態においては、注ぎ口部４Ａを収納空間部３Ａの一方の側部に沿った直線状に形成したことにより、包装用袋１Ａをスタンディングパウチ形態として構成する場合、その注ぎ口部４Ａの成形工程を、包装用袋１Ａの成形工程中に取り入れることが可能であり、内容物の注入工程に特別な手段を講じること無く取り入れることができ、当該注ぎ口部４Ａを備えた包装用袋１Ａとしての形成が容易になし得るものである。
【００２９】
上記した両実施の形態にあっては、袋本体部２、２Ａをほぼ長方形の袋状に形成したが、これに限定するものではなく、袋本体部２、２Ａの形態もスタンディングパウチ又は他の底部をもたない形態に対して有効である。
【００３０】
そして、袋本体部２、２Ａを合成樹脂製とした場合について説明したが、これに限定するものではなく、他の材料で形成した場合でも対応可能である。
【００３１】
【発明の効果】
請求項１に記載の発明にあっては、袋本体部を立てた方向のままの状態で、収納空間部とは独立しかつ該収納空間部との連通部位に対して所定の角度曲折して形成した注ぎ口部を、他の容器等の口等に挿通することができ、収納した内容物を他の容器等に移し替える作業を簡易かつ確実に行うことができ、その取扱いをきわめて便利にすることができる。
【００３２】
請求項２に記載の発明にあっては、一度開封した注ぎ口部の一部を折畳み状にして係入溝部に係止して、注ぎ口部の一部を閉塞状態にとすることができる。これよって、袋本体部の収納空間部内にある例えば、残余の内容物が注ぎ口部から流出することを未然に阻止することができ、袋本体部の残余の内容物の保管を容易にすることができる。
【００３３】
請求項３に記載の発明にあっては、袋本体部における収納空間部及び注ぎ口部等の形成を容易になし得る。
【図面の簡単な説明】
【図１】第１の実施の形態における包装用袋の全体を示す正面図である。
【図２】（イ）（ロ）は、使用状態の説明図である。
【図３】注ぎ口部の係止状態を示す説明図である。
【図４】第２の実施の形態における包装用袋の全体を示す正面図である。
【図５】（イ）（ロ）は、使用状態の説明図である。
【図６】注ぎ口部の係止状態を示す説明図である。
【符号の説明】
１、１Ａ  包装用袋
２、２Ａ  袋本体部
３、３Ａ  収納空間部
４、４Ａ  注ぎ口部
８、８Ａ  切取り線
Ｗ、ＷＡ  内容物
【図１】
2004262497.tif 000003
【図２】
2004262497.tif 000004
【図３】
2004262497.tif 000005
【図４】
2004262497.tif 000006
【図５】
2004262497.tif 000007
【図６】
2004262497.tif 000008